(57)【要約】      （修正有）【課題】低抵抗及びインダクタンスを大きくすることができるエッジワイズ巻電磁コイルを提供する。【解決手段】厚みの薄い平角導線をエッジワイズ巻する事により巻線後の厚みバラツキが小さなコイルを製作する事ができ、当該コイルを複数個組合せ並列接続する事によりＱの高いエッジワイズ巻電磁コイル。【選択図】図２
2007173263.tif 000002
【特許請求の範囲】
【請求項１】
融着層あり、なし、または接着剤塗布した平角導線を使用した複数個のエッジワイズ巻電磁コイルを巻線間に複数個のエッジワイズ電磁コイルを組合せたことを特徴とするエッジワイズ巻電磁コイル。
【請求項２】
平角導線を使用した複数個エッジワイズ巻電磁コイルを組合せ、並列、直列接続し、またはコイルの端を開放したことを特徴とする請求項１記載のエッジワイズ巻電磁コイル。
【請求項３】
エッジワイズ巻電磁コイルを組合せた後、エッジワイズ電磁コイルに加熱手段にて加熱し押し圧した事を特徴とする請求項１、２記載のエッジワイズ巻電磁コイルの製造方法。
【請求項４】
加熱手段を、電磁コイルに通電し抵抗加熱する、加熱した金型に電磁コイルを装着する、電磁コイルに赤外線または熱風加熱する、のいずれか或いは組合せにより電磁コイルを加熱することを特徴とする請求項３記載のエッジワイズ電磁コイル。
【発明の詳細な説明】
【技術分野】
【０００１】
本発明は、融着導線及び融着なし導線を用い空芯エッジワイズ巻電磁コイル、および空芯エッジワイズ巻電磁コイルの製造方法に関するものである。
【背景技術】
【０００２】
平角導線のエッジワイズ巻電磁コイルの特徴としてインダクタンスを大きくしながら、直流抵抗値を小さくすることが可能である、然しコイル内径が小さく、且つ上記特徴を満足するには湾曲率が大きくなり巻回する事が極めて困難になる。従って平角線の厚みを薄くする事によって容易に巻回出来る。更に巻回したエッジワイズ電磁コイルを組合せる事によって、エッジワイズ巻の特徴を最大限に活かし、小型化が可能な電磁コイルを提供するものである。
【０００３】
従来エッジワイズ巻電磁コイルは、平角導線の厚みが厚い線材を湾曲するために巻回に大きな力が必要で、巻回が困難なため小型サイズのエッジワイズ巻電磁コイルは製作が困難で歩留まりが悪い等の問題が顕在している。
【０００４】
エッジワイズ巻きとは平角導線（長方形線材）の長手方向が巻芯に直角になるようにセットし巻回した巻線方法を言う。
【０００５】
エッジワイズ巻コイルの利用は単層巻の利点（巻き始めと巻き終わりの引出し線が離れているため）を活かし高電圧発生器のコイル、インバータのチョークコイル、小型トランス等として利用されている、然し小型低抵抗化コイルを実現するには、巻回が困難な為実現できなかった。容易に高インダクタンス、低抵抗化する為に平角線厚みを薄くし複数個のエッジワイズ巻にした後、エッジワイズ巻電磁コイルを各線間に複数個のエッジワイズ巻コイルを組合せることにより、低抵抗化をはかることが出来エッジワイズ電磁コイルの特徴を最大限に活かし各種電子機器に活用出来ることを特徴とするものである。
【０００６】
小型トランス製作において、エッジワイズコイルを用いて一次コイル、二次コイルを組合せ漏れインダクタンスを少なくする小型トランスが提案（特許文献１）されているが、一次コイル、二次コイルを組合せたとしても導線間の隙間は一定ではなく、寸法精度向上が出来なく小型化、高性能化を阻害すると言う欠点を有している。本発明は薄い平角導線をエッジワイズ巻にし複数個組合せた後加熱押圧する事によってコイル導線間が密着し漏洩磁束が小さくなるだけでなく、寸法精度、バラツキが小さく出来るため容易に高密度化を可能にしたものである。
【特許文献１】特開２００４−１０３６２４
【発明の開示】
【発明が解決しようとする課題】
【０００７】
解決しようとする問題点は、厚みの厚い平角導線を小型エッジワイズ巻するには湾曲率が大きく、巻回後平角線の厚みが不規則になると言う点にある。              
【課題を解決するための手段】
【０００８】
本発明は、上記問題を解決するために、厚みの薄い平角導線を用い複数個のエッジワイズ巻を実施し、線間に複数個のエッジワイズ巻コイルを組合せ並列接続する事により、簡単に直流抵抗値が組合せ個数分１に低減できる、低抵抗エッジワイズ巻電磁コイルを容易に提供することにある。
【０００９】
更に厚みの薄い平角導線を用い複数個のエッジワイズ巻を実施し、線間に複数個のエッジワイズ巻コイルを組合せ直列接続によりインダクタンスを大きくすることが出来るエッジワイズ巻電磁コイルを容易に提供することにある。
【００１０】
またコイルの両端を開放する事によって高性能のトランスを容易に提供することにある。
【００１１】
また、融着層導線または接着剤等を塗布した複数個のエッジワイズ巻コイルを組合せた後、抵抗、赤外線、熱風等の加熱手段を設け長さ方向を加熱圧縮する事によって線間が密着し寸法精度向上が実現でき、更に線間が密着する事によりコイルのインダクタンスが安定化したコイルを製作する製造方法を提供する。
【発明の効果】
【００１２】
本発明のエッジワイズ巻電磁コイルは、薄い平角導線をエッジワイズ巻にするため、巻応力が小さいため厚みバラツキが小さく、線間寸法も任意に変えることが出来るため、複数個のエッジワイズ巻電磁コイルを組合せることが出来る。コイル端を並列接続により直流抵抗値を低くする事が出来る。直流抵抗値が低くなることによりコイルのＱが大きくなる。Ｑが大きくなることでコイルに発生した電磁エネルギーを低損失で活用でき、電子・電気機器の性能向上に極めて有効なコイルを提供する。
【００１３】
更に直列接続することにより、インダクタンスを大きくすることが出来る。またコイルに端を開放にしておくことにより、漏洩磁束の小さいトランスとしての利用が出来る。
【発明を実施するための最良の形態】
【００１４】
厚みの薄い平角導線を複数個エッジワイズ巻した後、エッジワイズ巻線間に巻方向に従いねじを入れるようにねじ込む事によって、一体化コイルのように収納できる。当該コイルを並列接続する事によってインダクタンスは同等で直流抵抗値はねじ込んだコイルの個数分の１にすることが出来る。またコイルを加熱押し圧する事により長さ寸法精度向上ができ、更に線間が密着することによりインダクタンス精度が改善されたエッジワイズ巻電磁コイルを提供する。
【実施例１】
【００１５】
図１は、従来のエッジワイズ巻電磁コイル正面図を示す。１は導線、２は引出しリード線、３はコイル巻線の隙間を示す。
【００１６】
図２は、本発明のエッジワイズ巻電磁コイルの立体図を示す。４は導線、５は引出しリード線、６は重ね合せ部分を示す。
【００１７】
図３は、本発明のエッジワイズ巻電磁コイルの正面図を示す。４は導線、５は引出しリード線、６は重ね合せ部を示す
【００１８】
図４は、図１のＡを拡大した図を示す。７は引出しリード線、８は導線、９はコイル巻線の隙間を示す。図５は、図３のＢを拡大した図を示す。７は引出しリード線、８は導線、１０はコイルの重ね合せ部を示す。
【００１９】
図６は本発明のエッジワイズ巻電磁コイルの側面図を示す。４は導線、５は引出しリード線を示す。  
【産業上の利用可能性】
【００２０】
本発明の平角導線エッジワイズ巻電磁コイルはインダクタンスを変化させる事なしに、直流抵抗値を極めて低くする事ができ、電子・電機機器の性能向上に大きく寄与する事が出来る。特にインバータ等のリアクトルに使用した場合、リアトルで発生したエネルギーの減衰が極めて少なく活用できるため、小型高性能の機器ができ、出力向上、材料費低減等のコストダウンが提供できる。
【図面の簡単な説明】
【００２１】
【図１】従来のエッジワイズ巻電磁コイルの正面図
【図２】本発明のエッジワイズ巻電磁コイルの立体図
【図３】本発明のエッジワイズ巻電磁コイルの正面図
【図４】図１のＡを拡大した図
【図５】図３のＢを拡大した図
【図６】本発明のエッジワイズ巻電磁コイルの側面図
【符号の説明】
【００２２】
１、４、８、      導線
２、５、７、      引出しリード線
３、９、          コイル巻線の隙間
６、１０、        重ね合せ部分
【図１】
2007173263.tif 000003
【図２】
2007173263.tif 000004
【図３】
2007173263.tif 000005
【図４】
2007173263.tif 000006
【図５】
2007173263.tif 000007
【図６】
2007173263.tif 000008